(57)【要約】【課題】  配管内に落とし込むことなく、且つ、不断水の状態で防食スリーブを完全に撤去することができる技術を提供する。【解決手段】  配管分岐孔の増径用カッターと、該増径用カッターに先行して防食スリーブに挿入され、且つ、防食スリーブに挿入した状態で増径後の配管分岐孔から該防食スリーブを引き抜き可能なセンタードリルとからなる。増径用カッターは防食スリーブの上端拡径部の外径以上の内径を有するか、または防食スリーブの下端係止爪を切断可能な内径を有する。センタードリルは防食スリーブに緊密に挿入可能な外径を有するか、または弾性的に突出して防食スリーブの下端に係止可能な係止部を有する。さらに、センタードリルは、先端に防食スリーブの内径以下のリーマーを具備する。【選択図】        図４
2005282587.tif 000002
【特許請求の範囲】
【請求項１】
配管分岐孔の増径用カッターと、該増径用カッターに先行して防食スリーブに挿入され、且つ、防食スリーブに挿入した状態で増径後の配管分岐孔から該防食スリーブを引き抜き可能なセンタードリルとからなる防食スリーブの撤去装置。
【請求項２】
増径用カッターは防食スリーブの上端拡径部の外径以上の内径を有する請求項１記載の防食スリーブの撤去装置。
【請求項３】
増径用カッターは防食スリーブの下端係止爪を切断可能な内径を有する請求項１記載の防食スリーブの撤去装置。
【請求項４】
センタードリルは防食スリーブに緊密に挿入可能な外径を有する請求項１、２または３記載の防食スリーブの撤去装置。
【請求項５】
センタードリルは弾性的に突出して防食スリーブの下端に係止可能な係止部を有する請求項１、２または３記載の防食スリーブの撤去装置。
【請求項６】
センタードリルは、先端に防食スリーブの内径以下のリーマーを具備する請求項１から５のうち何れか一項記載の防食スリーブの撤去装置。
【発明の詳細な説明】
【技術分野】
【０００１】
この発明は、金属管からなる水道本管の配管分岐部の増径工事において、既設の防食スリーブを不断水の状態で撤去する装置に関するものである。
【背景技術】
【０００２】
例えば鋳鉄管などの金属管からなる水道本管の配管分岐部には、例えば特許文献１に示すような防食スリーブ（防錆スリーブとも称される）が設置されており、従来、前記配管分岐部の増径工事にあたっては、分岐部を増径穿孔して防食スリーブを本管内に落とす工法が行われている。
【０００３】
【特許文献１】特開2001-304487号公報
【発明の開示】
【発明が解決しようとする課題】
【０００４】
上記工法によれば、防食スリーブを不断水の状態で撤去できるものの、本管内に落とした防食スリーブが詰まり出水不良や錆の原因となるため、好ましいものではなかった。しかしながら、同工法以外に不断水の状態で防食スリーブを撤去することができる工法がなかったのが現状である。
【０００５】
本発明は上述した課題を解決するためになされたもので、その目的とするところは、配管内に落とし込むことなく、且つ、不断水の状態で防食スリーブを完全に撤去することができる技術を提供することである。
【課題を解決するための手段】
【０００６】
上述した目的を達成するために本発明では、配管分岐孔の増径用カッターと、該増径用カッターに先行して防食スリーブに挿入され、且つ、防食スリーブに挿入した状態で増径後の配管分岐孔から該防食スリーブを引き抜き可能なセンタードリルとから防食スリーブの撤去装置を構成した。本装置は、水道本管に取付けられたサドル分水栓の分岐管に不断水の状態で挿入され、センタードリルを防食スリーブに貫通させた状態で、増径用カッターにより分岐孔の増径を行う。該増径後、本装置を撤去する際、センタードリルと共に防食スリーブは引き抜かれる。
【０００７】
ところで、防食スリーブには数種の形状のものが存在する。そこで、防食スリーブが配管分岐孔の開口面と係合する上端拡径部を具備する場合、増径用カッターは前記拡径部の外径以上の内径を有するものとする。この手段によれば、防食スリーブを一切傷つけることなく撤去することができるから、配管内に防食スリーブの切断片を混入させることを回避することができる。このとき分岐孔は防食スリーブの拡径部以上に増径されることになる。なお、この手段において、防食スリーブの下端に下述する係止爪が存在する場合でも、係止爪が上端拡径部よりも小径であれば、防食スリーブを増径後の分岐孔より引き抜くことができる。
【０００８】
一方、防食スリーブが配管内において分岐孔と係合する下端係止爪を具備する場合、増径用カッターは前記係止爪を切断可能な内径を有するものとする。この手段によれば、最小限、防食スリーブの胴部と同径に増径の程度を抑えつつ、防食スリーブを引き抜くことができる。なお、この手段において、防食スリーブの上端に上述した拡径部が存在する場合、該拡径部も増径用カッターによって切断される。
【０００９】
他方、センタードリルによる防食スリーブの引き抜き態様は二つある。その一つは、センタードリルの外径を防食スリーブに緊密に挿入可能な径とすることで、センタードリルと防食スリーブを摩擦的に係合する態様である。この手段によれば、センタードリルと防食スリーブ内径がほぼ同径となるため、引き抜き時に防食スリーブが左右に傾斜することも回避することができる。
【００１０】
他の一つは、センタードリルに弾性的に突出して防食スリーブの下端に係止可能な係止部を設けることである。この手段によれば、該係止部は小径に伸縮して防食スリーブ内を通過した後、さらにセンタードリルを下降させて係止部が防食スリーブの下端から露出したと同時に該係止部が弾性的に拡径して防食スリーブの下端と係合し、以後、この係合状態を維持したまま、センタードリルのと共に防食スリーブを引き抜くことができる。
【００１１】
なお、切断粉等が配管内に混入しないように、その撤去時には、極力、防食スリーブを傷つけないことが好ましいが、経年的に防食スリーブの内面に錆等が発生している場合がある。このような場合、センタードリルを回転させず押し込みのみによって防食スリーブに挿入することは困難である。そこで、本発明では、センタードリルの先端に、防食スリーブの内径以下のリーマを設けるという手段を選択的に用いることとする。
【発明の効果】
【００１２】
以上、本発明によれば、増径用カッターの先方に防食スリーブを引き抜くためのセンタードリルを設けたので、分岐孔の増径工事と同時に、防食スリーブを配管内に落とし込むことなく撤去することができる。また、増径用カッターの径を変更することで、種々の防食スリーブに対応させつつ、増径および撤去工事を遂行することができる。
【００１３】
さらに、センタードリルの外径を防食スリーブに緊密に挿入可能な径とすることで、押し込みによってセンタードリルを防食スリーブに緊挿できるから、防食スリーブを傷つけることなく、切断粉等の配管内混入を回避することができる。また、センタードリルに弾性的に突出して防食スリーブの下端に係止可能な係止部を設けることによって、より確実に防食スリーブを引き抜くことができる。
【００１４】
さらにまた、センタードリルの先端に、防食スリーブの内径以下のリーマを設けることで、センタードリルをより確実に防食スリーブに挿入でき、上述した引き抜きを確実に行うことができる。
【発明を実施するための最良の形態】
【００１５】
以下、本発明の好ましい実施の形態を添付した図面に従って説明する。図１は本発明の第一実施形態に係る防食スリーブの撤去装置を示したものである。図中、１は増径用カッター、２は該カッター１の先方に設けたセンタードリルであって、両者は同軸線上に上下して配置されている。増径用カッター１は従来公知のもので、その端部１ａは回転工具（図示せず）やそのアタッチメント３に取付可能である。センタードリル２は、胴部２ａの先端にリーマ２ｂを設け、また中途には外側に弾性的に付勢された返し爪からなる係止部２ｃを設けている。
【００１６】
上記構成の撤去装置からなる作業工程を図２から図６に従って説明すると、先ず、水道本管Ｐにはサドル分水栓４が取付けられており、その弁体５は開弁状態にある。つまり、通水が維持された不断水の状態である。６はサドル分水栓４の上向き通水部に連結された本管Ｐ穿孔用の筒状の回転工具であり、通常、分岐管（図示せず）はサドル分水栓４の横方向通水部に連結される。また、サドル分水栓４には水道本管Ｐの分岐孔７に位置して防食スリーブ８が内蔵されている。この防食スリーブ８は、胴部８ａの上端に分岐孔７の開口面と係止する拡径部８ｂを有すると共に、下端には水道本管Ｐの内部で分岐孔７からの抜け止め用の係止爪８ｃを有する。
【００１７】
この不断水状態において、回転工具６に撤去装置を挿入し（図２）、開弁状態の弁体５を介し、撤去装置を下降させてセンタードリル２を防錆スリーブ８に挿入する（図３）。このとき、センタードリル２の先端には防食スリーブ８の内径とほぼ同径のリーマ２ｂが設けられているため、該リーマ２ｂによって防食スリーブ８内に付着した錆等が研削され、センタードリル２をより確実に防食スリーブ８に挿入することができる。なお、この間、センタードリル２の係止部２ｃはそのテーパ面が防食スリーブ８に押されて小径に縮まり、センタードリル２の挿入を妨げることはない。
【００１８】
さらに撤去装置を下降させると、センタードリル２の係止部２ｃが防錆スリーブ８の下端から露出し、これと同時に係止部２ｃが弾性的に拡径する（図４）。ここでセンタードリル２の胴部２ａは防食スリーブ８の内径とほぼ同一である一方、係止部２ｃは防食スリーブ８の下端に係止可能な径を有する。
【００１９】
さらに下降を続け、上述した回転工具により増径用カッター１を回転させ、分岐孔７の増径を行う（図５）。ここで増径用カッター１は防食スリーブ８の胴部８ａとほぼ同径に設定されているから、当該増径時に、防食スリーブ８の上端拡径部８ｂおよび下端係止爪８ｃは切断される。従って、防食スリーブ８は増径後の分岐孔７’から抜け落ちるのであるが、センタードリル２の胴部２ａは防食スリーブ８の内径とほぼ同一に設定しているから前記増径時、防食スリーブ８はセンタードリル２が挿入されたまま共に下降する。
【００２０】
続いて、撤去装置を引き抜ぬくことによって防食スリーブ８を撤去する（図６）。つまり、センタードリル２の係止部２ｃは防食スリーブ８の下端に係合するから、撤去装置の引き抜きと同時に防食スリーブ８を撤去することができるのである。また、センタードリル２の胴部２ａは防食スリーブ８の内径とほぼ同一に設定しているから、防食スリーブ８が傾かず、まっすぐ上に引き抜くことができる。
【００２１】
次に、図７は第二実施形態に係る撤去装置を示し、図８から図１０は該撤去装置による作業手順を示したものである。この実施形態においても、防食スリーブ８の構成および設置態様、さらには撤去装置が増径用カッター１０とセンタードリル２０よりなることは上記実施形態と同じであるが、その相違点に係る本実施形態の特徴点を述べると、先ず、増径用カッター１０は防食スリーブ８の拡径部８ａ以上の内径を有し、またセンタードリル２０は先端に防食スリーブ８の内径と一致するリーマー２０ａを有するも、その中途の係止部を省略し、その代わりに、胴部２０ｂの外径を防食スリーブ８の内径と一致させ、該胴部２０ｂを防食スリーブ８内に緊挿可能としていることである。
【００２２】
而して、該撤去装置によれば、サドル分水栓４によって分岐された回転工具６から弁体５を開弁状態として、不断水の状態で挿入下降され（図８）、センタードリル２０を防食スリーブ８に挿入した後（図９）、増径用カッター１０で分岐孔７を増径することによって、増径後の分岐孔７’を介して、センタードリル２０の引き抜きと同時に、該センタードリル２０の胴部２０ａに緊挿された状態で防食スリーブ８を撤去することができる（図１０）。
【図面の簡単な説明】
【００２３】
【図１】第一実施形態に係る本発明装置の全体図
【図２】同装置による作業手順を示した工程図（分岐管への装置挿入工程）
【図３】同装置による作業手順を示した工程図（防食スリーブへのセンタードリル挿入工程）
【図４】同装置による作業手順を示した工程図（センタードリルの貫通工程）
【図５】同装置による作業手順を示した工程図（増径工程）
【図６】同装置による作業手順を示した工程図（引き抜き工程）
【図７】第二実施形態に係る本発明装置の全体図
【図８】同装置による作業手順を示した工程図（分岐管への装置挿入工程）
【図９】同装置による作業手順を示した工程図（防食スリーブへのセンタードリル挿入工程）
【図１０】同装置による作業手順を示した工程図（引き抜き工程）
【符号の説明】
【００２４】
１、１０  増径用カッター
２、２０  センタードリル
３  アタッチメント
４  サドル分水栓
５  弁体
６  回転工具
７  分岐孔
８  防食スリーブ
Ｐ  水道本管
【図１】
2005282587.tif 000003
【図２】
2005282587.tif 000004
【図３】
2005282587.tif 000005
【図４】
2005282587.tif 000006
【図５】
2005282587.tif 000007
【図６】
2005282587.tif 000008
【図７】
2005282587.tif 000009
【図８】
2005282587.tif 000010
【図９】
2005282587.tif 000011
【図１０】
2005282587.tif 000012